(57)【要約】マルチモード通信チップセットにおける回路のためのスイッチ可能な電圧レベル電源が、開示される。一実施形態においては、第１の電圧レベルは、第１の組の線形性および／または雑音の要件を有する、第１のモードで動作するＴＸ回路に供給される。第１の電圧レベルよりも低い第２の電圧レベルが、第１の組の要件よりもゆるい第２の組の線形性および／または雑音の要件を有する第２のモードで動作するＴＸ回路に供給される。第１のモードは、ＧＳＭ規格によるオペレーションとすることができ、そして第２のモードは、Ｗ−ＣＤＭＡ規格によるオペレーションとすることができる。
2011504012.tif 000002
【特許請求の範囲】
【請求項１】
トランスミッタ回路に対して電圧を供給するための装置であって、前記回路は、通信チャネル上で送信のための信号を処理し、前記トランスミッタ回路は、より高い周波数へと信号を変換するためのミキサを備え、前記トランスミッタ回路は、増幅器をさらに備え、前記装置は、
前記トランスミッタ回路のための供給電圧を生成するための電圧生成モジュール、
を備え、前記供給電圧は、第１のフェーズ中に第１のレベルに、そして第２のフェーズ中に第２のレベルにあり、前記第１のレベルは、前記第２のレベルよりも高い、装置。
【請求項２】
前記電圧生成モジュールは、さらに、前記トランスミッタ回路のための第２の供給電圧を生成し、前記第２の供給電圧は、前記第１のフェーズ中に第３のレベルに、そして前記第２のフェーズ中に第４のレベルにある、請求項１に記載の装置。
【請求項３】
前記電圧生成モジュールは、スイッチモード電圧レギュレータを備え、前記スイッチモード電圧レギュレータは、第１のレベルと第２のレベルとを生成するための調整可能なスイッチングサイクルを有する、請求項１に記載の装置。
【請求項４】
前記電圧生成モジュールは、少なくとも２つの電圧レギュレータを備え、前記電圧生成モジュールの出力は、スイッチによって前記少なくとも２つの電圧レギュレータの複数の出力から選択される、請求項１に記載の装置。
【請求項５】
前記２つの電圧レギュレータのうちの少なくとも１つは、バックコンバータである、請求項４に記載の装置。
【請求項６】
前記第１のフェーズは、前記トランスミッタ回路が、第１のモードで動作する時間に対応し、そして前記第２のフェーズは、前記トランスミッタ回路が、第２のモードで動作する時間に対応する、請求項４に記載の装置。
【請求項７】
前記第１のモードは、ＧＳＭモードであり、前記第２のモードは、Ｗ−ＣＤＭＡモードである、請求項６に記載の装置。
【請求項８】
前記供給電圧の前記レベルは、前記電圧生成モジュールに供給される制御信号によって設定され、前記制御信号は、前記ＧＳＭモード中に第１の値を有し、そして前記制御信号は、前記Ｗ−ＣＤＭＡモード中に第２の値を有する、請求項７に記載の装置。
【請求項９】
前記供給電圧の前記レベルは、前記電圧生成モジュールに供給される制御信号によって設定される、請求項４に記載の装置。
【請求項１０】
前記供給電圧は、さらに、第３のフェーズ中に第３のレベルにある、請求項１に記載の装置。
【請求項１１】
前記供給電圧は、前記トランスミッタ回路の前記ミキサに供給される、請求項１に記載の装置。
【請求項１２】
前記増幅器は、可変利得増幅器であり、前記供給電圧は、前記トランスミッタ回路の前記可変利得増幅器に供給される、請求項１に記載の装置。
【請求項１３】
前記のミキサと可変利得増幅器とは、スタック化トポロジを使用してインプリメントされる、請求項１２に記載の装置。
【請求項１４】
前記増幅器は、電力増幅器であり、前記供給電圧は、前記電力増幅器に供給される、請求項１に記載の装置。
【請求項１５】
前記トランスミッタ回路は、デジタルアナログコンバータをさらに備え、前記デジタルアナログコンバータの出力は、前記ミキサの入力信号に結合され、前記供給電圧は、前記デジタルアナログコンバータに供給される、請求項１に記載の装置。
【請求項１６】
前記電圧生成モジュールは、複数のスイッチモード電圧レギュレータを備え、前記電圧生成モジュールの出力は、前記複数のスイッチモード電圧ジェネレータの複数の出力のうちから選択される、請求項１に記載の装置。
【請求項１７】
前記トランスミッタ回路は、前記第２のフェーズ中に表面音響波（ＳＡＷ）フィルタに結合され、前記トランスミッタ回路は、前記第１のフェーズ中に前記ＳＡＷフィルタに結合されない、請求項１に記載の装置。
【請求項１８】
前記増幅器は、可変利得増幅器であり、前記トランスミッタ回路は、前記可変利得増幅器の出力を第１および第２の相互コンダクタンス増幅器に結合する変圧器をさらに備え、
前記第１の相互コンダクタンス増幅器の出力は、第１のインダクタに結合され、前記第１のインダクタは、第１の供給電圧に結合され、そして
前記第２の相互コンダクタンス増幅器の出力は、第２のインダクタに結合され、前記第２のインダクタは、第２の供給電圧に結合され、前記第２の相互コンダクタンス増幅器の出力は、さらに、前記ＳＡＷフィルタに結合される、請求項１７に記載の装置。
【請求項１９】
前記第１の供給電圧は、前記第２の供給電圧よりも高く、前記第２の相互コンダクタンス増幅器は、前記第１のフェーズ中に電源オフされ、そして前記第１の相互コンダクタンス増幅器は、前記第２のフェーズ中に電源オンされる、請求項１８に記載の装置。
【請求項２０】
前記増幅器は、可変利得増幅器であり、前記トランスミッタ回路は、前記可変利得増幅器の出力を相互コンダクタンス増幅器に結合する変圧器をさらに備える、請求項１に記載の装置。
【請求項２１】
通信チャネル上で送信のための信号を処理するためのトランスミッタ回路に対して電圧を供給するための方法であって、前記トランスミッタ回路は、より高い周波数へと信号を変換するためのミキサを備え、前記トランスミッタ回路は、増幅器をさらに備え、前記方法は、
前記トランスミッタ回路のための供給電圧を生成すること、
を備え、前記供給電圧は、第１のフェーズ中に第１のレベルに、そして第２のフェーズ中に第２のレベルにあり、前記第１のレベルは、前記第２のレベルよりも高い、方法。
【請求項２２】
前記の前記供給電圧を生成することは、スイッチモード電圧レギュレータによって実行される、請求項２１に記載の方法。
【請求項２３】
前記第１のフェーズは、前記トランスミッタ回路が、第１のモードで動作する時間に対応し、そして前記第２のフェーズは、前記トランスミッタ回路が、第２のモードで動作する時間に対応する、請求項２２に記載の方法。
【請求項２４】
前記トランスミッタ回路のための第２の供給電圧を生成すること、をさらに備え、前記第２の供給電圧は、第１のフェーズ中に第３のレベルに、そして第２のフェーズ中に第４のレベルにある、請求項２１に記載の方法。
【請求項２５】
前記第２のフェーズ中に送信のための前記信号をＳＡＷフィルタに結合することと、前記第１のフェーズ中に送信のための前記信号を前記ＳＡＷフィルタに結合しないことと、をさらに備える請求項２１に記載の方法。
【発明の詳細な説明】
【技術分野】
【０００１】
本開示は、マルチモードチップセットに関し、そして特にマルチモードチップセットに電力供給する電圧源に関する。
【背景】
【０００２】
現代の通信デバイスは、複数の通信規格をサポートすることができる。例えば、「マルチモード(multi - mode)」セルラ電話は、ＧＳＭおよびＷ−ＣＤＭＡを含めて複数のワイヤレスセルラ規格をサポートすることができる。同じ回路が、複数のモードの間で共用されることができるが、回路に対する要件は、モードおよび／またはシステムの計画に応じて異なる可能性がある。例えば、１つのモードにおけるオペレーションは、別のモードにおけるオペレーションよりも送信（ＴＸ）回路からの高い線形性を要求する可能性がある。ＴＸ回路の線形性に影響を及ぼす１つのパラメータは、電圧源のレベルである。
【０００３】
典型的なマルチモード設計においては、回路は、オペレーションのすべてのモードについて最高の必要な電圧レベルを用いて供給され、１つまたは複数のモードについて非効率的に高い電力消費をもたらす可能性がある。動作モードに応じて、回路に対して、または回路内の選択されたブロックに対して供給される電圧を動的に調整することが望ましいことになる。
【発明の概要】
【０００４】
本開示の一態様は、トランスミッタ回路に対して電圧を供給するための装置を提供しており、その回路は、通信チャネル上で送信のための信号を処理し、そのトランスミッタ回路は、より高い周波数へと信号を変換するためのミキサ(mixer)を備え、トランスミッタ回路は、増幅器をさらに備え、その装置は、トランスミッタ回路のための供給電圧を生成するための電圧生成モジュール(voltage generation module)を備え、その供給電圧は、第１のフェーズ(phase)中に第１のレベルに、そして第２のフェーズ中に第２のレベルにあり、第１のレベルは、第２のレベルよりも高い。
【０００５】
本開示の別の態様は、通信チャネル上で送信のための信号を処理するためのトランスミッタ回路に対して電圧を供給するための方法を提供しており、そのトランスミッタ回路は、より高い周波数へと信号を変換するためのミキサを備え、トランスミッタ回路は、増幅器をさらに備え、その方法は、トランスミッタ回路のための供給電圧を生成することを備え、その供給電圧は、第１のフェーズ中に第１のレベルに、そして第２のフェーズ中に第２のレベルにあり、第１のレベルは、第２のレベルよりも高い。
【０００６】
本開示のさらに別の態様は、通信チャネル上で送信のための信号を処理するためのトランスミッタ回路に電圧を供給するための装置を提供しており、そのトランスミッタ回路は、より高い周波数へと信号を変換するためのミキサを備え、トランスミッタ回路は、増幅器をさらに備え、その装置は、トランスミッタ回路のためのスイッチ可能な(switchable)供給電圧を生成するための手段を備える。
【図面の簡単な説明】
【０００７】
【図１】図１は、マルチモードＴＸ回路のための従来の電圧源スキーム(voltage supply scheme)のブロック図を示している。
【図２】図２は、スイッチ可能な出力電圧レベルを有する電圧生成モジュール２０２が、変調器／ＶＧＡブロック１０４に対して提供される、本開示の一実施形態を示している。
【図２Ａ】図２Ａは、複数のスイッチ可能な出力電圧２０２ａ、２０２ｂ、...、２０２ｚが、ＴＸ回路内の個々のブロックに対して別々に供給されることができる一実施形態を示している。
【図３】図３は、電圧生成モジュール２０２が、スイッチモード電源(switched-mode power supply)（ＳＭＰＳ、またはスイッチモード電圧レギュレータ）としてインプリメントされる一実施形態を示している。
【図３Ａ】図３Ａは、各電圧レベルが別の電源または電圧レギュレータによって生成される２つの出力電圧レベルの間でスイッチするためのスイッチを含む電圧生成モジュール２０２の代替実施形態を示している。
【図４】図４は、ミキサ１０４．１および１０４．２と、ＶＧＡ１０４．５とが、「スタック化(stacked)」トポロジを使用してインプリメントされ、そしてＶＧＡ１０４．５に供給される単一の電圧レール(voltage rail)が、ミキサ１０４．１および１０４．２と一緒にＶＧＡ１０４．５に電力供給する一実施形態を示している。
【図５】図５は、スタック化ＶＧＡ／ミキサトポロジの可能なインプリメンテーションを示している。
【図６】図６は、２つの信号経路が、変圧器４０１の二次側４０１．２からデュプレクサおよびアンテナスイッチ１０８へと提供される、本開示の代替実施形態を示している。
【詳細な説明】
【０００８】
ここにおいて、オペレーションのモードに応じて回路の中の１つまたは複数のブロックに対して供給される１つまたは複数の電圧レベルの選択を可能にする技法が、開示される。
【０００９】
図１は、マルチモードＴＸ回路のための従来の電圧源スキームのブロック図を示している。図１において、バッテリ１００は、無調整の電圧１００ａを電圧レギュレータ１０２へと供給する。電圧レギュレータ１０２は、直交変調器／ＶＧＡ（可変利得増幅器(variable gain amplifier)）ブロック１０４に対して調整された電圧１０２ａを供給する。直交変調器は、ミキサ１０４．１および１０４．２を含み、これらのミキサは、低域通過フィルタ１０３．１および１０３．２によってフィルタがかけられたベースバンド入力信号ＢＢ＿Ｉ（同相）およびＢＢ＿Ｑ（直角位相）を受け入れる。ミキサ１０４．１および１０４．２は、局部発振器信号ＬＯ＿ＩおよびＬＯ＿Ｑと乗算することにより、より高い周波数へとベースバンド信号を変調する。変換された信号は、被変調の増幅された信号１０４ａを生成するために可変利得増幅器(variable-gain amplifier)（ＶＧＡ）１０４．５に入力される。
【００１０】
信号１０４ａは、電力増幅器(power amplifier)（ＰＡ）１０６に供給される。次いで、ＰＡ１０６の出力信号１０６ａは、デュプレクサおよびアンテナスイッチ１０８へと供給され、このデュプレクサおよびアンテナスイッチは、アンテナ１１０へと結合される。
【００１１】
図１において、電圧レギュレータ１０２は、ＴＸ回路の動作モードにかかわらず、Ｖ＿ｈｉの電圧レベルを変調器／ＶＧＡブロック１０４へと供給する。Ｖ＿ｈｉは、一般的に、最も要求の厳しい線形性および／またはスペクトル純度の要件を有する動作モードのために必要とされる供給電圧であるように選択される。あまり要求の厳しくない線形性および／またはスペクトル純度の要件を有するモードにおいて動作するときに、Ｖ＿ｈｉは、一般的に、そのモードのために必要とされるよりも高くなり、そしてそれ故に電力が、浪費される可能性がある。
【００１２】
図２は、スイッチ可能な出力電圧レベルを有する電圧生成モジュール２０２が、供給電圧２０２ａを変調器／ＶＧＡブロック１０４へと供給する、本開示の一実施形態を示している。
【００１３】
図２に示される実施形態においては、ブロック１０４内のミキサおよび／またはＶＧＡに供給される電圧２０２ａは、制御信号Ｖ＿ｃｏｎｔｒｏｌに応じて２つのレベル、Ｖ＿ｈｉとＶ＿ｌｏと、の間でスイッチされることができる。一実施形態においては、Ｖ＿ｃｏｎｔｒｏｌは、電圧生成モジュールに、動作モードがＧＳＭであるときにＶ＿ｈｉを出力するように、そして動作モードがＷ−ＣＤＭＡであるときにＶ＿ｌｏを出力するように、指示する。一実施形態においては、Ｖ＿ｈｉは、２．７ボルトであり、Ｖ＿ｌｏは、２．１ボルトである。
【００１４】
本開示は、デュアルモードのＧＳＭおよびＷ−ＣＤＭＡをサポートする実施形態だけに限定される必要はないことに注意すべきである。他の任意のモードと、任意の数のモードとをサポートする回路、例えば、ｃｄｍａ２０００  １ｘ、ＴＤ−ＣＤＭＡなどをサポートする回路は、簡単に適応されることができる。そのような回路に適応するための、本開示に対する修正は、当業者には明らかになり、そして本開示の範囲内にあるように企図される。
【００１５】
一実施形態においては、変調器（ミキサ１０４．１および１０４．２）と、ＶＧＡ１０４．５とは、おのおの、供給電圧２０２ａに対するそれら自体の接続を提供される。スイッチ可能な出力電圧２０２ａは、変調器（ミキサ１０４．１および１０４．２）と、ＶＧＡ１０４．５との両方に対して、あるいは変調器とＶＧＡとのうちの一方に対して供給されることができる。図４を参照して後で説明されるべき代替実施形態においては、変調器とＶＧＡとは「スタック化」トポロジを有することができ、そしてこれらの両方は、ＶＧＡを通してスイッチ可能な供給電圧２０２ａに対する単一接続によって電力供給されることができる。
【００１６】
電圧生成モジュール２０２のスイッチ可能な出力電圧２０２ａは、一般にＴＸ回路内の任意のコンポーネントブロックに供給されることができることに注意すべきである。いくつかの実施形態においては、スイッチ可能な出力電圧２０２ａは、ＴＸ信号経路の線形性に直接に影響を及ぼすこれらのコンポーネントブロックに供給されることができる。図２に示されるように、スイッチ可能な電圧は、周波数変調器（またはミキサ）、および／または可変利得増幅器（ＶＧＡ）に供給されることができる。代替実施形態（図示されず）においては、スイッチ可能な電圧は、ドライバ増幅器（図示されず）に供給することができる。
【００１７】
図２Ａは、複数のスイッチ可能な出力電圧２０２ａ、２０２ｂ、...、２０２ｚが、ＴＸ回路内の個々のブロックに別々に供給されることができる一実施形態を示している。このようにして、ＴＸ回路内の各ブロックに（または任意のブロックに）供給される特定の出力電圧レベルは、カスタム設定される(custom configured)ことができる。例えば、第１のスイッチ可能な電圧レベルＶ１／Ｖ０は、ＴＸ回路内のミキサブロックに出力電圧２０２ａを経由して供給されることができるが、第２のスイッチ可能な電圧レベルＶ２／Ｖ０は、ＶＧＡブロックに出力電圧２０２ｂを経由して供給されることができるなどである。本開示における説明を簡単にするために、ただ１つのスイッチ可能な出力電圧２０２ａを有する実施形態に対して参照が、行われることができる。しかしながら、そのような実施形態は、図２Ａに示されるように複数のスイッチ可能な出力電圧を組み込むように簡単に修正されることができることが、企図される。
【００１８】
Ｖ＿ｃｏｎｔｒｏｌは、アナログ信号、またはデジタル信号とすることができることに注意すべきである。電圧生成モジュール２０２に対する適切な出力電圧レベルの指定(specification)は、いくつかのやり方で行われることができる。例えば、Ｖ＿ｃｏｎｔｒｏｌは、電圧生成モジュール２０２が、プリセット値Ｖ＿ｈｉまたはＶ＿ｌｏに対応するように復号することができる簡単な論理ハイ(logical high)信号または論理ロー(logical low)信号とすることができる。代わりに、Ｖ＿ｃｏｎｔｒｏｌは、アナログ電圧レベルとして、あるいはあらかじめ定義された分解能に対応する１組のデジタルビットとしてのいずれかとして、レギュレータによって出力されるべき実際の電圧レベルを指定することもできる。これらの実施形態と他の実施形態とは、当業者には明らかになり、そして本開示の範囲内にあるように企図される。
【００１９】
上記に説明されるように、Ｖ＿ｃｏｎｔｒｏｌの設定は、回路の動作モード、例えば、回路が、ＧＳＭモードで動作しているか、あるいはＷ−ＣＤＭＡモードで動作しているか、に依存することができる。信号は、マルチモードデバイス上で実行される、またはマルチモードデバイスとは別に位置するソフトウェアまたはファームウェアによって生成されることができる。２つよりも多いモードをサポートするデバイスでは、Ｖ＿ｃｏｎｔｒｏｌは、それに応じて電圧生成モジュール２０２に対して適切なモード依存の出力電圧レベルを信号で伝えるように修正されることができる。
【００２０】
本開示によれば、Ｖ＿ｃｏｎｔｒｏｌは、回路の動作モードだけに依存する必要はないことに注意すべきである。一実施形態においては、Ｖ＿ｃｏｎｔｒｏｌは、そのような電圧がオペレーションに有利であると見なされるときはいつでも、より高い電圧、またはより低い電圧を出力するように電圧生成モジュール２０２を構成することができる。任意の判断基準に基づいた、与えられた回路ブロックのための供給電圧レベルのどのような選択も、本開示の範囲内にあるように企図される。
【００２１】
図３は、電圧生成モジュール２０２が、スイッチモード電源（ＳＭＰＳ、またはスイッチモード電圧レギュレータ）としてインプリメントされ、そしてＳＭＰＳの出力電圧２０２ａが、レギュレータ内のスイッチングのデューティサイクル(duty cycle)を変化させることにより制御されることができる一実施形態を示している。一実施形態においては、ＳＭＰＳは、高いＤＣ電圧を低いＤＣ電圧へとステップダウンさせる(step down)ように設計されるバックコンバータ(buck converter)である。ＳＭＰＳのコンバータとバックコンバータとの設計は、当技術分野においてよく知られており、そしてここにおいてさらには説明されないであろう。
【００２２】
図３Ａは、各電圧レベルが、別の電源または電圧レギュレータによって生成される２つの出力電圧レベルの間でスイッチするためのスイッチを含む電圧生成モジュール２０２の代替実施形態を示している。図３の実施形態が、信号Ｖ＿ｃｏｎｔｒｏｌに基づいて２つの異なる出力電圧レベルを生成する単一の電圧生成モジュール３０２を示しているのに対して、図３Ａの実施形態は、おのおのが単一の出力電圧レベルを生成する２つの電圧レギュレータＲｅｇｕｌａｔｏｒ１とＲｅｇｕｌａｔｏｒ２とを示しており、実際の出力電圧２０２ａは、スイッチ３００により２つの電圧レギュレータ出力の間から選択される。スイッチ３００は、信号Ｖ＿ｃｏｎｔｒｏｌによって制御されることができる。
【００２３】
図３および３Ａに示される実施形態は、２つより多い動作モードをサポートする回路に対して適切な電圧レベルを供給するために、２つより多い出力電圧レベルに適応するように簡単に修正されることができることに注意すべきである。そのような修正は、当業者には明らかになり、そして本開示の範囲内にあるように企図される。そのような実施形態においては、Ｖ＿ｃｏｎｔｒｏｌは、複数の電圧レベルのうちのどれが、出力電圧２０２ａとして供給されるべきかを電圧生成モジュール２０２に対して信号で伝えるように構成されることができる。
【００２４】
図４は、ミキサ１０４．１および１０４．２と、ＶＧＡ１０４．５とが、「スタック化」トポロジを使用してインプリメントされ、そしてＶＧＡ１０４．５に供給される単一の電圧レールが、ミキサ１０４．１および１０４．２と一緒にＶＧＡ１０４．５に電力供給する一実施形態を示している。図５は、スタック化ＶＧＡ／ミキサトポロジの可能なインプリメンテーションを示している。図５においては、２つのギルバートミキサ(Gilbert mixers)が、同相局部発振器信号（ＬＯ＿Ｉ）とベースバンド同相信号（ＢＢ＿Ｉ）を、そして直角位相局部発振器信号（ＬＯ＿Ｑ）とベースバンド直角位相信号（ＢＢ＿Ｑ）をミキシングする(mix)ように提供される。図５のインプリメンテーションは、例示としてだけ提供され、そして示される特定のトポロジだけに本開示を限定するようには意味されないことに注意すべきである。当業者は、ＶＧＡとミキサとが、ここにおいて明示的に説明されないいくつかの異なるやり方でインプリメントされることができることを認識するであろう。
【００２５】
図４に戻って参照すると、ＶＧＡ１０４．５の差動出力電圧は、２つの電圧１０４．５ａと１０４．５ｂとによって定義され、これらの電圧は、両方ともにスイッチ可能な供給電圧２０２ａにＤＣ結合される。ＶＧＡ１０４．５は、その出力が相互コンダクタンス増幅器４０２に結合された変圧器４０１を駆動する。相互コンダクタンス（ｇｍ）増幅器４０２は、変圧器４０１の二次側４０１．２の両端の電圧を電流出力へと変換する。ＤＣバイアス／供給レール４０３に結合されたインダクタンス４０４は、４０２ａにおける電圧スイングが、供給レール４０３の上に行くことを可能にする。キャパシタ４０５は、４０２ａにおけるＡＣ電圧を電力増幅器１０６へと結合する。次いで、信号は、デュプレクサおよびアンテナスイッチ１０８へと、そしてアンテナ１１０へと供給される。
【００２６】
一実施形態（図示されず）においては、ＤＣバイアス／供給レール４０３は、スイッチ可能な供給電圧２０２ａへと結合される。
【００２７】
図６は、２つの信号経路が、変圧器４０１の二次側４０１．２からデュプレクサおよびアンテナスイッチ１０８へと提供される、本開示の代替実施形態を示している。図６において、要素４０２．１、４０３．１、４０４．１、４０５．１、１０６．１を含む上側の信号経路は、第１のモード中の信号送信のために使用される。要素４０２．２、４０３．２、４０４．２、４０５．２、４０６、１０６．２を含む下側の信号経路は、第２のモード中の信号送信のために使用される。一実施形態においては、適切な信号経路は、望ましい信号経路に対応する１つまたは複数の要素を単に電源オンすることと、他の信号経路に対応する１つまたは複数の要素を電源オフすることとによって選択されることができる。
【００２８】
下側の信号経路には、表面音響波(surface acoustic wave)（ＳＡＷ）フィルタ４０６が提供され、このフィルタは、電力増幅器１０６．２による増幅に先立って送信されるべき信号からチャネルに合わない放射(out-of-channel emission)を取り除く。ＳＡＷフィルタ４０６は、それ故に、第２のモード中に緩和されるべき回路の残りについての雑音および／またはスペクトル純度の要件を可能にする。本開示に従って、より低い供給電圧が、第２のモードにおけるオペレーション中にＴＸ回路の任意のブロック、またはすべてのブロックに供給されることができる。一実施形態においては、第１のモードは、ＧＳＭモードに対応するが、第２のモードは、Ｗ−ＣＤＭＡモードに対応する。
【００２９】
一実施形態においては、供給電圧４０３．１および４０３．２は、本開示によるスイッチ可能な供給電圧に結合されることもできる。
【００３０】
オペレーションのモードのうちの１つの間にＳＡＷフィルタリングの準備は、示されていない他の実施形態に応じて行われることができることに注意すべきである。例えば、第１のモード中のオペレーションのために、キャパシタ４０５．１とＰＡ１０６．１との間に配置されたＳＡＷフィルタをバイパスするために、スイッチが、使用されることができる。そのような修正は、当業者には明らかになり、そして本開示の範囲内にあるように企図される。
【００３１】
ここにおいて説明される教示に基づいて、ここにおいて開示される一態様は、他の任意の態様とは独立にインプリメントされることができることと、２つ以上のこれらの態様は、様々なやり方で組み合わせられることができることとは、明らかなはずである。ここにおいて説明される技法は、ハードウェア、ソフトウェア、ファームウェア、またはそれらの任意の組合せの形でインプリメントされることができる。ハードウェアでインプリメントされる場合、本技法は、デジタルハードウェア、アナログハードウェア、またはそれらの組合せを使用して実現されることができる。ソフトウェアでインプリメントされる場合には、本技法は、１つまたは複数の命令またはコードが記憶されるコンピュータ可読媒体を含むコンピュータプログラムプロダクト(computer-program product)によって少なくとも部分的に実現されることができる。
【００３２】
例として、限定するものではないが、そのようなコンピュータ可読媒体は、シンクロナスダイナミックランダムアクセスメモリ(synchronous dynamic random access memory)（ＳＤＲＡＭ）などのＲＡＭ、リードオンリーメモリ(read-only memory)（ＲＯＭ）、不揮発性ランダムアクセスメモリ(non-volatile random access memory)（ＮＶＲＡＭ）、ＲＯＭ、電気的消去可能プログラマブルリードオンリーメモリ(electrically erasable programmable read-only memory)（ＥＥＰＲＯＭ）、消去可能プログラマブルリードオンリーメモリ(erasable programmable read-only memory)（ＥＰＲＯＭ）、フラッシュメモリ(FLASH memory)、ＣＤ−ＲＯＭまたは他の光ディスクストレージ、磁気ディスクストレージまたは他の磁気ストレージデバイス、あるいは命令またはデータ構造の形態の望ましいプログラムコードを搬送し、または記憶するために使用されることができ、そしてコンピュータによってアクセスされることができる他の任意の有形媒体を備えることができる。
【００３３】
コンピュータプログラムプロダクトのコンピュータ可読媒体に関連する命令またはコードは、コンピュータによって、例えば、１つまたは複数のデジタル信号プロセッサ(digital signal processors)（ＤＳＰ）、汎用マイクロプロセッサ、ＡＳＩＣ、ＦＰＧＡ、他の等価な集積された、または個別の論理回路などの、１つまたは複数のプロセッサによって、実行されることができる。
【００３４】
いくつかの態様および例が、説明されてきている。しかしながら、これらの例に対する様々な修正が、可能であり、そしてここにおいて提示される原理は、同様に他の態様に対しても適用されることができる。これらおよび他の態様は、添付の特許請求の範囲内にある。
【００３５】
本明細書において、そして特許請求の範囲においては、要素が、別の要素「に接続されて」または「に結合されて」いると称されるときに、それは、他の要素に直接に接続され、または結合されることもでき、あるいは介在する要素が存在することもできることが理解されるであろう。対照的に、要素が、別の要素「に直接に接続され」または「に直接に結合され」ていると称されるときには、介在する要素は存在していない。
【図１】
2011504012.tif 000003
【図２】
2011504012.tif 000004
【図２Ａ】
2011504012.tif 000005
【図３】
2011504012.tif 000006
【図３Ａ】
2011504012.tif 000007
【図４】
2011504012.tif 000008
【図５】
2011504012.tif 000009
【図６】
2011504012.tif 000010
【国際調査報告】
2011504012.tif 000011
2011504012.tif 000012
2011504012.tif 000013